(57)【要約】【課題】人工授精操作等を容易に実施可能とするようなウサギ用実験保定器等を提供することを課題とする。【解決手段】側面となる曲面と底部となる平面とからなる上部開放型容器と、側面となる曲面と底部となる平面とからなる筒型容器とから構成されており、前記の上部開放型容器は、当該容器における２つの端部のうち一方が開口され、他方が閉鎖されており、閉鎖端部の頂部にウサギの鼻部を挿入し、ウサギの頭頚部を固定させるためのリングを含むリング部を有しており、前記の筒型容器は、当該容器における２つの端部が共に開口されており、両開口端部における前記曲面の上部に、ウサギの頭頚部及び尾部・臀部を露出させるための放物線状の切り込み部を有しており、前記の上部開放型容器を、前記の筒型容器の内部に挿入して組み合わされてなることを特徴とするウサギ用実験保定器等。【選択図】      なし【特許請求の範囲】
【請求項１】
側面となる曲面と底部となる平面とからなる上部開放型容器と、側面となる曲面と底部となる平面とからなる筒型容器とから構成されており、
前記の上部開放型容器は、当該容器における２つの端部のうち一方が開口され、他方が閉鎖されており、閉鎖端部の頂部にウサギの鼻部を挿入し、ウサギの頭頚部を固定させるためのリングを含むリング部を有しており、
前記の筒型容器は、当該容器における２つの端部が共に開口されており、両開口端部における前記曲面の上部に、ウサギの頭頚部及び尾部・臀部を露出させるための放物線状の切り込み部を有しており、
前記の上部開放型容器を、前記の筒型容器の内部に挿入して組み合わされてなることを特徴とするウサギ用実験保定器。
【請求項２】
ウサギの大きさに合わせて前記の筒型容器の内部に挿入された前記上部開放型容器と、前記の筒型容器とを固定するための固定部を有することを特徴とする請求項１記載のウサギ用実験保定器。
【請求項３】
前記固定部がネジ式固定部であって、当該ネジ式固定部が、前記の筒型容器に存在するスライド対応型横長開口部と、前記の上部開放型容器に存在するネジ受け穴部と、前記スライド対応型横長開口部を通して前記ネジ受け穴部に挿入するネジ部材とからなることを特徴とする請求項２記載のウサギ用実験保定器。
【請求項４】
前記固定部がネジ式固定部であって、当該ネジ式固定部が、前記の筒型容器に存在するスライド対応型横長開口部と、前記の上部開放型容器に存在するネジ状突起部と、前記スライド対応型横長開口部を通して前記ネジ状突起部に挿入するネジ受け部材とからなることを特徴とする請求項２記載のウサギ用実験保定器。
【請求項５】
ウサギに対する人工授精操作又は薬剤投与操作のための、請求項１又は２記載のウサギ用実験保定器の使用。
【発明の詳細な説明】
【０００１】
【発明の属する技術分野】
本発明は、ウサギ用実験保定器等に関するものである。特に、ウサギに対する人工授精操作又は薬剤投与操作のための使用できるウサギ用実験保定器に関するものである。
【０００２】
【従来の技術】
ウサギを用いた人工授精方法は、言うまでもなく従来の自然交配法と比較して計画的な試験の遂行、作業時間の大幅な短縮を可能にするなどウサギの生殖発生毒性試験を効率的に実施する上で有用な方法である。ウサギの人工授精方法は国内の毒性試験機関において普及しており、その殆どの研究施設において、精液注入については雌ウサギの頭部を下にして仰向けにし、胴体を両膝でしっかり保定し、尾をつかんでつるように倒立させて保定する操作方法（図１参照）が用いられている。
【０００３】
【発明が解決しようとする課題】
しかしながら、ウサギにとっては不安定な状態で、万一ウサギが暴れた場合には、後肢で蹴られる可能性もあり、常にウサギの状態を注意深く観察しながら人工授精操作を行う必要があり、熟練を要する作業である。
そこで本発明は、人工授精操作等を容易に実施可能とするようなウサギ用実験保定器等を提供することを課題とする。
【０００４】
【課題を解決するための手段】
そして上記した目的を達成するための請求項１の発明は、（１）側面となる曲面と底部となる平面とからなる上部開放型容器と、側面となる曲面と底部となる平面とからなる筒型容器とから構成されており、（２）前記の上部開放型容器は、当該容器における２つの端部のうち一方が開口され、他方が閉鎖されており、閉鎖端部の頂部にウサギの鼻部を挿入し、ウサギの頭頚部を固定させるためのリングを含むリング部を有しており、（３）前記の筒型容器は、当該容器における２つの端部が共に開口されており、両開口端部における前記曲面の上部に、ウサギの頭頚部及び尾部・臀部を露出させるための放物線状の切り込み部を有しており、（４）前記の上部開放型容器を、前記の筒型容器の内部に挿入して組み合わされてなることを特徴とするウサギ用実験保定器（以下、本発明保定器と記すこともある。）である。
【０００５】
請求項１の発明によれば、精液注入及び排卵誘発薬等の薬剤投与のために本発明保定器でウサギを保定しながら、技術者が前記ウサギに希釈精液を注入し、引き続き速やかに排卵誘発薬等の薬剤を注射することが容易にできることから、ウサギに対する人工授精操作又は薬剤投与操作に熟練を要さず、誰でも一人のみで短時間に上記操作が可能となる。また、本発明保定器を使用することにより、ウサギを含め上記操作の従事者に対する大幅な負担軽減も図られる。
【０００６】
請求項２に記載の発明は、ウサギの大きさに合わせて前記の筒型容器の内部に挿入された前記上部開放型容器と、前記の筒型容器とを固定するための固定部を有することを特徴とする請求項１記載のウサギ用実験保定器である。
【０００７】
請求項２の発明によれば、ウサギの大きさに合わせた適切なサイズのウサギ用実験保定器を提供することが容易にできることから、いかなる大きさのウサギに対する人工授精操作又は薬剤投与操作にも熟練を要さず、誰でも一人のみで短時間に上記操作が可能となる。また、当該保定器を使用することにより、あらゆるウサギの大きさに合わせたウサギ用実験保定器を用意することなく、一つのウサギ用実験保定器で対応可能となり、コストや保管場所等の各種負担軽減も図られる。
【０００８】
請求項３に記載の発明は、前記固定部がネジ式固定部であって、当該ネジ式固定部が、前記の筒型容器に存在するスライド対応型横長開口部と、前記の上部開放型容器に存在するネジ受け穴部と、前記スライド対応型横長開口部を通して前記ネジ受け穴部に挿入するネジ部材とからなることを特徴とする請求項２記載のウサギ用実験保定器である。
【０００９】
請求項３の発明によれば、ウサギの大きさに合わせた適切なサイズのウサギ用実験保定器を提供することが容易にできることから、いかなる大きさのウサギに対する人工授精操作又は薬剤投与操作にも熟練を要さず、誰でも一人のみで短時間に上記操作が可能となる。また、当該保定器を使用することにより、あらゆるウサギの大きさに合わせたウサギ用実験保定器を用意することなく、一つのウサギ用実験保定器で対応可能となり、コストや保管場所等の各種負担軽減も図られる。
【００１０】
請求項４に記載の発明は、前記固定部がネジ式固定部であって、当該ネジ式固定部が、前記の筒型容器に存在するスライド対応型横長開口部と、前記の上部開放型容器に存在するネジ状突起部と、前記スライド対応型横長開口部を通して前記ネジ状突起部に挿入するネジ受け部材とからなることを特徴とする請求項２記載のウサギ用実験保定器である。
【００１１】
請求項４の発明によれば、ウサギの大きさに合わせた適切なサイズのウサギ用実験保定器を提供することが容易にできることから、いかなる大きさのウサギに対する人工授精操作又は薬剤投与操作にも熟練を要さず、誰でも一人のみで短時間に上記操作が可能となる。また、当該保定器を使用することにより、あらゆるウサギの大きさに合わせたウサギ用実験保定器を用意することなく、一つのウサギ用実験保定器で対応可能となり、コストや保管場所等の各種負担軽減も図られる。
【００１２】
請求項５記載の発明は、ウサギに対する人工授精操作又は薬剤投与操作のための、請求項１又は２記載のウサギ用実験保定器の使用である。
【００１３】
請求項５記載の発明によれば、従来法と同様に人工授精が可能となり、しかも従来法ではウサギを倒立させた状態で、従事者の両膝と手とによる保定が必須であったが、当該発明では、ウサギに可能な限り負荷の少ない自然な状態での精液注入が可能となり、本発明保定器をウサギに対する人工授精操作又は薬剤投与操作に使用することができる。
【００１４】
【発明の実施の形態】
以下さらに本発明の具体的実施例について説明する。
以下に説明するウサギ用実験保定器（即ち、本発明保定器）は、ウサギを当該保定器で拘束した状態で簡単に臀部を露出させることが可能となり、一人でも簡便に効率的に操作できる人工授精操作を実現し、かつ安全に人工授精操作を実施可能とすることを実現させた。
本発明保定器は、携行可能である。当該保定器の大きさは、標準的なウサギが保定できる程度のものが推奨される。より具体的には、側面となる曲面と底部となる平面とからなる上部開放型容器の全長が、例えば、約２０ｃｍ〜２５ｃｍ程度であって、容器の材質にもよるが、例えば、重量が約５００グラム〜７００グラム程度が望ましい。また、側面となる曲面と底部となる平面とからなる筒型容器の全長が、例えば、約４０ｃｍ〜５０ｃｍ程度であって、容器の材質にもよるが、例えば、重量が約９００グラム〜１１００グラム程度が望ましい。
【００１５】
図２は、本発明の実施形態におけるウサギ用実験保定器の構成図（図中では固定部を略している。）であって、図２（ａ）は平面図であり、図２（ｂ）は側面図であり、図２（ｃ）は正面図である。
【００１６】
本発明の実施形態であるウサギ用実験保定器は、図２（図中では固定部を略している。）に示される構造である。そして、当該ウサギ用実験保定器は、側面となる曲面（４’）と底部（５’）となる平面とからなる上部開放型容器（１）と、側面となる曲面（４）と底部となる平面（５）とからなる筒型容器（２）とを有している。これらの両容器は組み合わされて使用され、通常、前記の上部開放型容器（１）を、前記の筒型容器（２）の内部に挿入して組み合わされて使用される。
前記の上部開放型容器（１）は、当該容器における２つの端部のうち一方が開口され、他方が閉鎖されている容器本体（６）と、当該容器本体の閉鎖端部の頂部にウサギの鼻部を挿入し、ウサギの頭頚部を固定させるためのリングを含むリング部（７）を備えている。当該リング部（７）におけるリングの大きさは、ウサギの鼻部が挿入可能であって、ウサギの頭頚部を固定させることができるものであればいかなるものであってもよいが、例えば、体重が約１．５〜１．９ｋｇ程度のダッチ種など小型ウサギの場合には、約４．０ｃｍ程度のリング直径を有するものがよく、また体重が約４．５〜５．０ｋｇ程度の日本白色種など大型ウサギの場合には、約６．０ｃｍ程度のリング直径を有するものがよい。また当該容器の材質としては、本発明の効果を喪失させるものでなければいかなるものであってもよいが、例えば、ポリエチレン樹脂、ポリプロピレン樹脂、ポリアミド系樹脂、ポリスチレン樹脂、ポリアセタール樹脂、ポリエチレンテレフタレート樹脂などの硬質プラスチックやアルミニウム、ステンレス等の加工のしやすい金属等をあげることができる。当該容器の全長は、例えば約２０ｃｍ程度であって、重量は、例えば約６００グラム程度である。
前記の筒型容器（２）は、２つの端部が共に開口されており、両開口端部における前記曲面の上部に、ウサギの頭頚部又は尾部・臀部を露出させるための放物線状の切り込み部（８）又は（８’）を有している。当該放物線状の切り込み部（８）又は（８’）の大きさは、ウサギの頭頚部又は尾部・臀部を露出させることが可能となるものであればいかなるものであってもよいが、例えば、体重が約１．５〜１．９ｋｇ程度のダッチ種など小型ウサギの場合には、約１３ｃｍ程度の深さ及び約１０ｃｍ程度の幅を有する放物線状の大きさがよく、また体重が約４．５〜５．０ｋｇ程度の日本白色種など大型ウサギの場合には、約１３ｃｍ程度の深さ及び約１３ｃｍ程度の幅を有する放物線状の大きさがよい。また当該容器の材質としては、本発明の効果を喪失させるものでなければいかなるものであってもよいが、例えば、ポリエチレン樹脂、ポリプロピレン樹脂、ポリアミド系樹脂、ポリスチレン樹脂、ポリアセタール樹脂、ポリエチレンテレフタレート樹脂などの硬質プラスチックやアルミニウム、ステンレス等の加工のしやすい金属等をあげることができる。当該容器（２）の全長は、例えば約５０ｃｍ程度であって、重量は、例えば約１０００グラム程度である。
【００１７】
図４は、本発明の実施形態におけるウサギ用実験保定器の斜視図である。
【００１８】
本発明におけるウサギ用実験保定器は、ウサギの大きさに合わせて前記の筒型容器（２）の内部に挿入された前記の上部開放型容器（１）と、前記の筒型容器（２）とを固定するための固定部（３）を有する（図４参照）。そして、当該固定部（３）が、前記の筒型容器（２）に存在するスライド対応型横長開口部と、前記の上部開放型容器に存在するネジ受け穴部（メス部）又はネジ状突起部（オス部）と、前記スライド対応型横長開口部を通して前記ネジ受け穴部に挿入するネジ部材（オス部）又は前記ネジ状突起部に挿入するネジ受け部材（メス部）とからなる。
【００１９】
さらに、ウサギ用実験保定器の構造について、以下に詳しく説明する。
筒型容器（２）は、スライド対応型横長開口部を有する円筒状の容器であり、さらに、上部開放型容器（１）を内部に挿入して格納するために、その大きさは前記容器（１）より一回り大きい。尚、当該スライド対応型横長開口部には、その一部に前記のネジ受け穴部又はネジ状突起部が容易に重なり又は嵌まり込むための大きさを有する挿入口を有することが好ましい。
上部開放型容器（１）には、前記のスライド対応型横長開口部に容易に重なり又は嵌まり込み可能であるネジ受け穴部又はネジ状突起部が存在する。
【００２０】
そして、本発明の第１の実施形態におけるウサギ用実験保定器では、前記ネジ受け穴部が当該スライド対応型横長開口部（例えば、前記の挿入口）に重なり、そして当該ネジ受け穴部を当該スライド対応型横長開口部内で、前記容器（１）のスライド移動（又は相対的スライド移動）に伴い同時に横方向に移動させることが可能である。
さらに必要に応じて、ウサギの大きさに合わせて挿入された上部開放型容器（１）と、前記の筒型容器（２）とを強固に固定するために、前記スライド対応型横長開口部を通して前記ネジ受け穴部に挿入するネジ部材と前記ネジ受け穴部とをネジ止めすればよい。
【００２１】
また、本発明の第２の実施形態におけるウサギ用実験保定器では、前記ネジ状突起部が当該スライド対応型横長開口部（例えば、前記の挿入口）に嵌まり込み、そして当該ネジ状突起部を当該スライド対応型横長開口部内で、前記容器（１）のスライド移動（又は相対的スライド移動）に伴い同時に横方向に移動させることが可能である。
さらに必要に応じて、ウサギの大きさに合わせて挿入された上部開放型容器（１）と、前記の筒型容器（２）とを強固に固定するために、前記スライド対応型横長開口部を通して前記ネジ状突起部に挿入するネジ受け部材と前記ネジ状突起部とをネジ止めすればよい。
【００２２】
以下、実施例をあげて、本発明のウサギ用実験保定器の使用をさらに詳しく説明する。なお、本発明はこれらの例に限定されるものではない。
実施例１
図２は、本発明保定器の構成図（図中では固定部を略している。）である。
ステンレス製の上部開放型容器（１）（即ち、側面となる曲面（４’）と底部となる平面（５’）とからなる筒型容器）は、当該容器における２つの端部のうち一方が開口され、他方が閉鎖されている容器本体と、当該容器本体の閉鎖端部の頂部に雌ウサギ（体重約４．５ｋｇ）の鼻部を挿入し、雌ウサギの頭頚部を固定させるための直径約５０ｍｍ大のリングを含むリング部（７）を備えている。当該容器の全長は約２０ｃｍであり、重量は約６００グラムである。
ステンレス製の筒型容器（２）（即ち、側面となる曲面（４）と底部となる平面（５）とからなる筒型容器）は、当該容器における２つの端部が共に開口されており、両開口端部における前記曲面の上部に、雌ウサギの頭頚部及び尾部・臀部を露出させるための放物線状の切り込み部（８）及び（８’）を有している。当該放物線状の切り込み部の大きさは、１３ｃｍ程度の深さ及び約１２ｃｍの幅を有するＵ字の大きさである。当該容器の全長は約５０ｃｍであり、重量は約１０００グラムである。
【００２３】
次に、上記の本発明保定器を下記のようにして使用する。
まず前記の上部開放型容器（１）を前記の筒型容器（２）の内部に挿入して組み合わせることにより、本発明保定器を準備する。
次いで、雌ウサギを準備された本発明保定器の中に入れ、当該容器（２）が有する一方の放物線状の切り込み部（８）から雌ウサギの頭頚部を露出させ、雌ウサギの鼻部を当該容器（１）が備えるリング部（７）のリング内に挿入しながら、雌ウサギの頭頚部を固定する。さらに当該容器（２）が有する他方の放物線状の切り込み部（８’）から雌ウサギの尾部・臀部を露出させる。（図３参照）。
このようにして、本発明保定器を使用し、雌ウサギの臀部を露出させ人工授精操作可能な状態にする。
図７は、ウサギを用いた人工授精方法において、従来法による作業者の操作と本発明に係る方法による作業者の操作とを比較するために示した説明図である。従来法による作業者の操作では、
１．精液注入：熟練の技術者が手で雌ウサギを保定し（即ち、一人が膝の上で、雌ウサギの頭部を下にして、当該ウサギを仰向けにし、胴体を両膝でしっかり保定し、尾をつかんでつるように倒立させて保定する。）、希釈精液を注入する。精液注入された雌ウサギは、補助者が一旦元のケージに戻す。
２．排卵誘発：予定していた全ての雌ウサギに精液注入操作を実施した後、精液注入された雌ウサギをケージから取り出し、排卵誘発剤を注射する。
これに対して、本発明に係る方法による作業者の操作では、
１．精液注入及び排卵誘発：技術者が本発明保定器で雌ウサギを保定し（図４参照）、希釈精液を注入する。精液注入された雌ウサギは、補助者が一旦元のケージに戻すことなく引き続き速やかに、排卵誘発剤を注射する。
このように、ウサギに対する人工授精操作又は薬剤投与操作に熟練を要さず、誰でも一人のみで短時間に、しかも安全に、上記操作が可能となる。同時に、当該操作を取得に要する時間も大幅に減少させることができる。さらにまた、本発明保定器を使用することにより、ウサギに対する人工授精操作又は薬剤投与操作の一連の流れをスムーズに実施することが可能となり、作業時間の大幅な短縮ができる。同時に、ウサギを含め上記操作の従事者に対する大幅な負担軽減も図られる。
【００２４】
【発明の効果】
上述の通り構成されてなる本発明保定器等を提供することにより、ウサギに対する人工授精操作又は薬剤投与操作に熟練を要さず、誰でも一人のみで短時間に、しかも安全に、上記操作が可能となる。同時に、当該操作を取得に要する時間も大幅に減少させることができる。さらにまた、本発明保定器を使用することにより、ウサギに対する人工授精操作又は薬剤投与操作の一連の流れをスムーズに実施することが可能となり、作業時間の大幅な短縮ができる。同時に、ウサギを含め上記操作の従事者に対する大幅な負担軽減も図られる。
【図面の簡単な説明】
【図１】図１は、従来法（ウサギ倒立保定）による作業者の操作を示した説明図である。一人が膝の上で、ウサギの頭部を下にして、当該ウサギを仰向けにし、胴体を両膝でしっかり保定し、尾をつかんでつるように倒立させて保定する。
【図２】図２は、本発明の実施形態におけるウサギ用実験保定の構成図（図中では固定部を略している。）であって、図２（ａ）は平面図であり、図２（ｂ）は側面図であり、図２（ｃ）は正面図である。
【図３】図３は、ウサギを保定させた状態での本発明保定器の斜視図である。
【図４】図４は、本発明の実施形態におけるウサギ用実験保定器の斜視図である。本発明の実施形態におけるウサギ用実験保定器１は、ウサギの大きさに合わせて前記の筒型容器（２）の内部に挿入された前記の上部開放型容器（１）と、前記の筒型容器（２）とを固定するための固定部（３）を有する。そして、当該固定部（３）が、前記の筒型容器（２）に存在するスライド対応型横長開口部と、前記の上部開放型容器に存在するネジ受け穴部又はネジ状突起部とからなる。
【図５】図５は、ウサギを用いた人工授精方法において、従来法による作業者の操作と本発明に係る方法による作業者の操作とを比較するために示した説明図である。
【符号の説明】
１：  上部開放型容器
２：  筒型容器
３：  固定部
４、４’：  側面となる曲面
５、５’：  底部となる平面
６：  上部開放型容器（１）における容器本体（６）
７：  リング部
８、８’：放物線状の切り込み部
９：  容器本体（６）における、ウサギの頭頚部を露出させるための開口部
【図１】
2005027836.tif 000002
【図２】
2005027836.tif 000003
【図３】
2005027836.tif 000004
【図４】
2005027836.tif 000005
【図５】
2005027836.tif 000006